(57)【要約】【課題】容器を縦置きに陳列する際に容器の標記をランダムな方向に向けて容器を置いても、標記を所定の方向に向けて陳列することが可能な容器陳列システム等を提供する。【解決手段】（Ａ）に示すように、第２識別標記２３ｂが移動経路の側方を向いた状態で投入された容器２０が、第２傾斜部５１２と傾斜部５２２との間に達すると、容器２０の突出部２４の下部に傾斜部５２２が位置する。そして、容器２０は、突出部２４が傾斜部５２２により持ち上げられることで傾くようになり、（Ｃ）に示すように、キャップ２２の外周面が第１傾斜部５１１に接触する。その後、容器２０は、周方向の回転を開始し更に前方へ移動していく。そして第２識別標記２３ｂが前方を向く状態となると、ストレート部５２１による突出部２４の支持が解除される。この結果、キャップ２２と第１傾斜部５１１とが離間するようになる。【選択図】図５
2010167265.tif 000002
【特許請求の範囲】
【請求項１】
外周面に１８０度の位置関係で２箇所に標記が付された容器と、
前記容器を陳列する陳列装置と、を備え、
前記容器は、前記標記が付された側から眺めた場合の奥行き寸法が第１の寸法となり幅寸法が当該第１の寸法よりも小さい第２の寸法となる部位を有し、
前記陳列装置は、
載せられた前記容器を当該容器の取り出し部まで予め定められた移動経路に沿って移動させる移動手段と、
前記容器の前記標記が前記移動経路の側方を向いた状態で当該容器が移動してきた場合に前記部位の前記第１の寸法を有する箇所を下方から支持し当該容器を支持側と反対側の側方に傾ける傾斜付与手段と、
前記傾斜付与手段により傾けられた前記容器の側部に接触し、当該容器に周方向の回転力を付与する回転力付与手段と、を備え、
前記回転力付与手段により回転する前記容器の前記標記が前記取り出し部側を向いた場合に前記部位の前記第２の寸法を有する箇所と前記傾斜付与手段とが対峙し当該傾斜付与手段による前記第１の寸法を有する箇所の支持が解除されることを特徴とする容器陳列システム。
【請求項２】
前記移動手段は、前記容器が載せられる載置部を備え、当該載置部に沿って当該容器を移動させ、
前記傾斜付与手段は、前記移動経路に沿って配置され且つ前記取り出し部に向かうに従い前記載置部からの離間距離が大きくなる離間部を有し、前記移動手段により移動してくる前記容器の前記第１の寸法を有する箇所に当該離間部を下方から接触させ当該第１の寸法を有する箇所を下方から持ち上げることで当該容器を傾けることを特徴とする請求項１に記載の容器陳列システム。
【請求項３】
前記容器は、外周面に凹凸が形成されたキャップ部材を備え、
前記回転力付与手段は、前記キャップ部材の前記外周面に接触することで前記容器に回転力を付与することを特徴とする請求項１又は２に記載の容器陳列システム。
【請求項４】
前記回転力付与手段は、前記キャップ部材の前記外周面に接触する接触面に、当該キャップ部材の前記凹凸と噛み合う凹凸を有していることを特徴とする請求項３に記載の容器陳列システム。
【請求項５】
前記移動手段は、前記容器が載せられる載置部を有し、当該載置部に沿って当該容器を移動させ、
前記容器は、前記載置部に接触配置される側が円筒状に形成されていることを特徴とする請求項１乃至４のいずれかに記載の容器陳列システム。
【請求項６】
外周面に１８０度の位置関係で２箇所に標記が付され、当該標記が付された側から眺めた場合の奥行き寸法が第１の寸法となり幅寸法が当該第１の寸法よりも小さい第２の寸法となる部位を有した容器を陳列可能な陳列装置であって、
載せられた前記容器を当該容器の取り出し部まで予め定められた移動経路に沿って移動させる移動手段と、
前記容器の前記標記が前記移動経路の側方を向いた状態で当該容器が移動してきた場合に前記部位の前記第１の寸法を有する箇所を下方から支持し当該容器を支持側と反対側の側方に傾ける傾斜付与手段と、
前記傾斜付与手段により傾けられた前記容器の側部に接触し、当該容器に周方向の回転力を付与する回転力付与手段と、を備え、
前記傾斜付与手段は、前記回転力付与手段により回転する前記容器の前記標記が前記取り出し部側を向いた場合に前記部位の前記第２の寸法を有する箇所と対峙し当該容器の前記側部と前記回転力付与手段との接触を解除することを特徴とする陳列装置。
【請求項７】
前記移動手段は、前記容器が載せられる載置部を有し、当該載置部に沿って当該容器を移動させ、
前記回転力付与手段は、傾斜して配置され前記容器の前記側部に接触する接触面を有し、傾斜して配置された当該接触面は、前記側方側に向かうに従い前記載置部から離れるように傾斜していることを特徴とする請求項６に記載の陳列装置。
【請求項８】
前記傾斜付与手段および前記回転力付与手段は、前記容器が投入される容器投入部側ではなく当該容器が取り出される前記取り出し部側に設けられていることを特徴とする請求項６又は７に記載の陳列装置。
【請求項９】
底部を有し内容物の充填が可能な容器本体と、
前記容器本体の外周面に１８０度の位置関係で２箇所に付された標記と、を備え、
前記容器本体は、前記標記が付された側から眺めた場合の奥行き方向の寸法が第１の寸法となり幅方向の寸法が当該第１の寸法よりも小さい第２の寸法となる部位を有し、
前記容器本体の前記奥行き方向における一方の側方側にて前記部位の前記第１の寸法を有する箇所を支持部材を用いて下方から支持することにより当該容器本体に傾斜を付与することが可能であり、当該部位の前記第２の寸法を有する箇所を当該支持部材に対峙させることで当該傾斜を小さくすることが可能な容器。
【請求項１０】
外周面に標記が付された容器と、
前記容器を陳列する陳列装置と、を備え、
前記容器は、前記標記が付された側から眺めた場合に回転方向とは反対方向に直角方向の突出部の一部が下方から支持できない形状に切り欠かれた、切り欠け突出部を有し、
前記陳列装置は、
載せられた前記容器を当該容器の取り出し部まで予め定められた移動経路に沿って移動させる移動手段と、
前記容器の前記標記が前記移動経路の側方を向いた状態で当該容器が移動してきた場合に前記切り欠け突出部以外の突出部を下方から支持し当該容器を支持側と反対側の側方に傾ける傾斜付与手段と、
前記傾斜付与手段により傾けられた前記容器の側部に接触し、当該容器に周方向の回転力を付与する回転力付与手段と、を備え、
前記回転力付与手段により回転する前記容器の標記が前記取り出し部側を向いた場合に前記切り欠け突出部と前記傾斜付与手段とが対峙し当該傾斜付与手段による前記切り欠け突出部以外の突出部の支持が解除されることを特徴とする容器陳列システム。
【請求項１１】
外周面に標記が付され、当該標記が付された側から眺めた場合に回転方向とは反対方向に直角方向の突出部の一部が下方から支持できない形状に切り欠かれた、切り欠け突出部を有した容器を陳列可能な陳列装置であって、
載せられた前記容器を当該容器の取り出し部まで予め定められた移動経路に沿って移動させる移動手段と、
前記容器の前記標記が前記移動経路の側方を向いた状態で当該容器が移動してきた場合に前記切り欠け突出部以外の突出部を下方から支持し当該容器を支持側と反対側の側方に傾ける傾斜付与手段と、
前記傾斜付与手段により傾けられた前記容器の側部に接触し、当該容器に周方向の回転力を付与する回転力付与手段と、を備え、
前記傾斜付与手段は、前記回転力付与手段により回転する前記容器の前記標記が前記取り出し部側を向いた場合に前記切り欠け突出部と対峙し当該容器の前記側部と前記回転力付与手段との接触を解除することを特徴とする陳列装置。
【請求項１２】
底部を有し内容物の充填が可能な容器本体と、
前記容器本体の外周面に付された標記と、を備え、
前記容器本体は、前記標記が付された側から眺めた場合に回転方向とは反対方向に直角方向の突出部の一部が下方から支持できない形状に切り欠かれた、切り欠け突出部を有し、
前記容器本体の前記切り欠け突出部以外の突出部を下方から支持部材にて支持することにより当該容器本体に傾斜を付与することが可能であり、当該切り欠け突出部を当該支持部材に対峙させることで当該傾斜を小さくすることが可能な容器。
【請求項１３】
前記容器は、側面の少なくとも一部において円筒状の外周面を備え、
前記回転力付与手段は、前記円筒状の外周面に接触することで前記容器に回転力を付与することを特徴とする請求項１又は２に記載の容器陳列システム。
【請求項１４】
前記移動手段は、前記容器が載せられる載置部を備え、当該載置部に沿って当該容器を移動させ、
前記傾斜付与手段は、前記移動経路に沿って配置され且つ前記取り出し部に向かうに従い前記載置部からの離間距離が大きくなる離間部を有し、前記移動手段により移動してくる前記容器の前記切り欠け突出部以外の突出部に当該離間部を下方から接触させ当該切り欠け突出部以外の突出部を下方から持ち上げることで当該容器を傾けることを特徴とする請求項１０に記載の容器陳列システム。
【請求項１５】
前記容器は、外周面に凹凸が形成されたキャップ部材を備え、
前記回転力付与手段は、前記キャップ部材の前記外周面に接触することで前記容器に回転力を付与することを特徴とする請求項１０又は１４に記載の容器陳列システム。
【請求項１６】
前記回転力付与手段は、前記キャップ部材の前記外周面に接触する接触面に、当該キャップ部材の前記凹凸と噛み合う凹凸を有していることを特徴とする請求項１５に記載の容器陳列システム。
【請求項１７】
前記容器は、側面の少なくとも一部において円筒状の外周面を備え、
前記回転力付与手段は、前記円筒状の外周面に接触することで前記容器に回転力を付与することを特徴とする請求項１０又は１４に記載の容器陳列システム。
【請求項１８】
前記移動手段は、前記容器が載せられる載置部を有し、当該載置部に沿って当該容器を移動させ、
前記容器は、前記載置部に接触配置される側が円筒状に形成されていることを特徴とする請求項１０および１４乃至１７のいずれかに記載の容器陳列システム。
【請求項１９】
前記移動手段は、前記容器に装着された底部が円形の装着部材が載せられる載置部を有し、当該載置部に沿って、当該装着部材が装着された容器を移動させる請求項１乃至４、１０、１４乃至１６のいずれかに記載の容器陳列システム。
【請求項２０】
外周面に標記が付された容器と、
前記容器を陳列する陳列装置と、を備え、
前記容器は、突出部下面が容器中心軸と直角を成す面と平行でない領域を有した面形状をしており、
前記陳列装置は、
載置せられた前記容器を当該容器の取り出し部まで予め定められた移動経路に沿って移動させる移動手段と、
前記容器の前記標記が前記移動経路の側方を向いた状態で当該容器が移動してきた場合に容器支持部材により突出部下面を下方から支持することにより容器の中心軸を移動方向と直角横方向に載置面から傾斜させる傾斜付与手段と、
前記傾斜付与手段により傾けられた前記容器のキャップ又は側部に接触し、当該容器に周方向の回転力を付与する回転力付与手段と、を備え、
前記回転力付与手段により回転する前記容器の標記が前記取り出し部側を向いた場合に容器中心軸の傾斜が戻ることによりキャップ又は側部の接触が絶たれ回転が停止した状態で移動することを特徴とする容器陳列システム。
【請求項２１】
底部を有し内容物の充填が可能な容器本体と、前記容器本体の外周面に付された標記とを備え、前記容器本体は、突出部下面が容器中心軸と直角を成す面と平行でない領域を有した面形状を持つ容器。
【発明の詳細な説明】
【技術分野】
【０００１】
本発明は、容器を陳列する容器陳列システム、陳列装置、および容器に関する。
【背景技術】
【０００２】
例えばコンビニエンスストアなどにおいては、ペットボトルなど飲料が充填された容器が、陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
ここで陳列装置の容器が載せられる箇所には、容器の滑りの良さから例えばプラスチックの平板が設けられる。また、近年では回転可能なローラを多数配置した陳列装置が出回っている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。即ち、前方側から投入された容器がＵターンして戻ってくる陳列装置が提案されている。さらに、容器に関するものとして、缶底に形成された環状凸部の内周壁に、内側凹部と縦リブとが円周方向に交互に形成された缶が提案されている（例えば、特許文献３参照）。
【０００３】
ところで、容器の外面には、商品名や商標名など他の商品と識別するための標記が設けられるが、この標記が購入者の取り出し方向に向いていないと、商品の識別がしにくくなるとともに、商品の陳列時の見栄えが悪くなる。このため、陳列される容器は、例えば前方側など、標記が所定の方向に向いていることが好ましい。
【０００４】
公報記載の従来技術として、容器が載せられる傾斜棚板の上面に、棚板傾斜方向に向けて棒状のガイド凸条を設け、容器の底部に、標記の直下と標記が付された面とは反対側の面の直下とを結ぶ凹状嵌合部を設け、このガイド凸条と凹状嵌合部とを用いて容器を陳列する陳列方法が提案されている（例えば、特許文献４参照）。この陳列方法では、標記が前方側を向く姿勢で凹状嵌合部をガイド凸条に嵌合させ、複数の容器を前後に並べる。この結果、標記が前方を向いた状態で容器の陳列が行われる。
【０００５】
【特許文献１】特開平１１−１５５７０１号公報
【特許文献２】米国特許第６５０２４０８号
【特許文献３】特開２０００−２１１６２４号公報
【特許文献４】特開２００６−２８８６７６号公報
【発明の開示】
【発明が解決しようとする課題】
【０００６】
上記特許文献４では、凹状嵌合部をガイド凸条に嵌合させ容器の陳列を行うことで、標記を確実に前方に向けることが可能となる。しかしながら、かかる発明では、容器を陳列棚に陳列する際に、容器の投入者は、容器を陳列装置に設置する度に凹状嵌合部をガイド凸条に嵌合させる必要があり、容器の陳列作業が繁雑となる。また、標記が容器の一箇所にのみ形成されている場合には、標記が後方側に向いた状態で陳列される陳列ミスの発生も懸念される。また、コンビニエンスストアなどの多量の飲料を販売する店舗等では、向きを揃えて投入する作業が非常に大掛かりとなる。
【０００７】
本発明は、容器を縦置きに陳列する際に容器の標記をランダムな方向に向けて容器を置いても、標記を所定の方向に向けて陳列することが可能な容器陳列システム等を提供することを主たる目的とする。
【課題を解決するための手段】
【０００８】
かかる目的のもと、本発明に適用されるシステムは、第１の位置から第２の位置への移動工程において容器を適宜回転せしめ、前記容器が第２の位置に移動した後に、容器の標記を特定の方向に向けさせるようにした陳列システムである。さらに詳細に述べると、外周面に１８０度の位置関係で２箇所に標記が付された容器と、容器を陳列する陳列装置と、を備え、容器は、標記が付された側から眺めた場合の奥行き寸法が第１の寸法となり幅寸法が第１の寸法よりも小さい第２の寸法となる部位を有し、陳列装置は、載せられた容器を容器の取り出し部まで予め定められた移動経路に沿って移動させる移動手段と、容器の標記が移動経路の側方を向いた状態で容器が移動してきた場合に部位の第１の寸法を有する箇所を下方から支持し容器を支持側と反対側の側方に傾ける傾斜付与手段と、傾斜付与手段により傾けられた容器の側部に接触し、容器に周方向の回転力を付与する回転力付与手段と、を備え、回転力付与手段により回転する容器の標記が取り出し部側を向いた場合に部位の第２の寸法を有する箇所と傾斜付与手段とが対峙し傾斜付与手段による第１の寸法を有する箇所の支持が解除されることを特徴とする。
【０００９】
ここで、移動手段は、容器が載せられる載置部を備え、載置部に沿って容器を移動させ、傾斜付与手段は、移動経路に沿って配置され且つ取り出し部に向かうに従い載置部からの離間距離が大きくなる離間部を有し、移動手段により移動してくる容器の第１の寸法を有する箇所に離間部を下方から接触させ第１の寸法を有する箇所を下方から持ち上げることで容器を傾けることを特徴とすることができる。
また、容器は、外周面に凹凸が形成されたキャップ部材を備え、回転力付与手段は、キャップ部材の外周面に接触することで容器に回転力を付与することを特徴とすることができる。さらに、容器は、側面の少なくとも一部において円筒状の外周面を備え、回転力付与手段は、円筒状の外周面に接触することで容器に回転力を付与することを特徴とすることができる。
さらに、回転力付与手段は、キャップ部材の外周面に接触する接触面に、キャップ部材の凹凸と噛み合う凹凸を有していることを特徴とすることができる。
また、移動手段は、容器が載せられる載置部を有し、載置部に沿って容器を移動させ、容器は、載置部に接触配置される側が円筒状に形成されていることを特徴とすることができる。
【００１０】
また、移動手段は、容器に装着された底部が円形の装着部材が載せられる載置部を有し、載置部に沿って、装着部材が装着された容器を移動させることを特徴とすることもできる。
【００１１】
また本発明を陳列装置として捉えた場合、本発明が適用される陳列装置は、外周面に１８０度の位置関係で２箇所に標記が付され、標記が付された側から眺めた場合の奥行き寸法が第１の寸法となり幅寸法が第１の寸法よりも小さい第２の寸法となる部位を有した容器を陳列可能な陳列装置であって、載せられた容器を容器の取り出し部まで予め定められた移動経路に沿って移動させる移動手段と、容器の標記が移動経路の側方を向いた状態で容器が移動してきた場合に部位の第１の寸法を有する箇所を下方から支持し容器を支持側と反対側の側方に傾ける傾斜付与手段と、傾斜付与手段により傾けられた容器の側部に接触し、容器に周方向の回転力を付与する回転力付与手段と、を備え、傾斜付与手段は、回転力付与手段により回転する容器の標記が取り出し部側を向いた場合に部位の第２の寸法を有する箇所と対峙し容器の側部と回転力付与手段との接触を解除することを特徴とする。
【００１２】
ここで、移動手段は、容器が載せられる載置部を有し、載置部に沿って容器を移動させ、回転力付与手段は、傾斜して配置され容器の側部に接触する接触面を有し、傾斜して配置された接触面は、側方側に向かうに従い載置部から離れるように傾斜していることを特徴とすることができる。
また、傾斜付与手段および回転力付与手段は、容器が投入される容器投入部側ではなく容器が取り出される取り出し部側に設けられていることを特徴とすることができる。
【００１３】
さらに本発明を容器として捉えた場合、本発明が適用される容器は、底部を有し内容物の充填が可能な容器本体と、容器本体の外周面に１８０度の位置関係で２箇所に付された標記と、を備え、容器本体は、標記が付された側から眺めた場合の奥行き方向の寸法が第１の寸法となり幅方向の寸法が第１の寸法よりも小さい第２の寸法となる部位を有し、容器本体の奥行き方向における一方の側方側にて部位の第１の寸法を有する箇所を支持部材を用いて下方から支持することにより容器本体に傾斜を付与することが可能であり、部位の第２の寸法を有する箇所を支持部材に対峙させることで傾斜を小さくすることが可能な容器である。
【００１４】
また、本発明の更なる容器陳列システムとしては、外周面に標記が付された容器と、容器を陳列する陳列装置と、を備え、容器は、標記が付された側から眺めた場合に回転方向とは反対方向に直角方向の突出部の一部が下方から支持できない形状に切り欠かれた、切り欠け突出部を有し、陳列装置は、載せられた容器を容器の取り出し部まで予め定められた移動経路に沿って移動させる移動手段と、容器の標記が移動経路の側方を向いた状態で容器が移動してきた場合に切り欠け突出部以外の突出部を下方から支持し容器を支持側と反対側の側方に傾ける傾斜付与手段と、傾斜付与手段により傾けられた容器の側部に接触し、容器に周方向の回転力を付与する回転力付与手段と、を備え、回転力付与手段により回転する容器の標記が取り出し部側を向いた場合に切り欠け突出部と傾斜付与手段とが対峙し傾斜付与手段による切り欠け突出部以外の突出部の支持が解除されることを特徴とする。
【００１５】
ここで移動手段は、容器が載せられる載置部を備え、載置部に沿って容器を移動させ、傾斜付与手段は、移動経路に沿って配置され且つ取り出し部に向かうに従い載置部からの離間距離が大きくなる離間部を有し、移動手段により移動してくる容器の切り欠け突出部以外の突出部に離間部を下方から接触させ切り欠け突出部以外の突出部を下方から持ち上げることで容器を傾けることを特徴とすることができる。
また、容器は、外周面に凹凸が形成されたキャップ部材を備え、回転力付与手段は、キャップ部材の外周面に接触することで容器に回転力を付与することを特徴とすることができる。
さらに回転力付与手段は、キャップ部材の外周面に接触する接触面に、キャップ部材の凹凸と噛み合う凹凸を有していることを特徴とすることができる。
【００１６】
また、容器は、側面の少なくとも一部において円筒状の外周面を備え、回転力付与手段は、円筒状の外周面に接触することで容器に回転力を付与することを特徴とすることができる。
さらに移動手段は、容器が載せられる載置部を有し、載置部に沿って容器を移動させ、容器は、載置部に接触配置される側が円筒状に形成されていることを特徴とすることができる。
また、移動手段は、容器に装着された底部が円形の装着部材が載せられる載置部を有し、載置部に沿って、装着部材が装着された容器を移動させることができる。
【００１７】
また本発明を陳列装置として捉えた場合、本発明が適用される陳列装置は、外周面に標記が付され、標記が付された側から眺めた場合に回転方向とは反対方向に直角方向の突出部の一部が下方から支持できない形状に切り欠かれた、切り欠け突出部を有した容器を陳列可能な陳列装置であって、載せられた容器を容器の取り出し部まで予め定められた移動経路に沿って移動させる移動手段と、容器の標記が移動経路の側方を向いた状態で容器が移動してきた場合に切り欠け突出部以外の突出部を下方から支持し容器を支持側と反対側の側方に傾ける傾斜付与手段と、傾斜付与手段により傾けられた容器の側部に接触し、容器に周方向の回転力を付与する回転力付与手段と、を備え、傾斜付与手段は、回転力付与手段により回転する容器の標記が取り出し部側を向いた場合に切り欠け突出部と対峙し容器の側部と回転力付与手段との接触を解除することを特徴とする。
【００１８】
さらに本発明を容器として捉えた場合、底部を有し内容物の充填が可能な容器本体と、容器本体の外周面に付された標記と、を備え、容器本体は、標記が付された側から眺めた場合に回転方向とは反対方向に直角方向の突出部の一部が下方から支持できない形状に切り欠かれた、切り欠け突出部を有し、容器本体の切り欠け突出部以外の突出部を下方から支持部材にて支持することにより容器本体に傾斜を付与することが可能であり、切り欠け突出部を支持部材に対峙させることで傾斜を小さくすることが可能な容器である。
【００１９】
また、外周面に標記が付された容器と、容器を陳列する陳列装置と、を備え、容器は、突出部下面が容器中心軸と直角を成す面と平行でない領域を有した面形状をしており、陳列装置は、載置せられた容器を容器の取り出し部まで予め定められた移動経路に沿って移動させる移動手段と、容器の標記が移動経路の側方を向いた状態で容器が移動してきた場合に容器支持部材により突出部下面を下方から支持することにより容器の中心軸を移動方向と直角横方向に載置面から傾斜させる傾斜付与手段と、傾斜付与手段により傾けられた容器のキャップ又は側部に接触し、容器に周方向の回転力を付与する回転力付与手段と、を備え、回転力付与手段により回転する容器の標記が取り出し部側を向いた場合に容器中心軸の傾斜が戻ることによりキャップ又は側部の接触が絶たれ回転が停止した状態で移動することを特徴とする容器陳列システムである。
【００２０】
また、容器として見た場合、底部を有し内容物の充填が可能な容器本体と、容器本体の外周面に付された標記とを備え、容器本体は、突出部下面が容器中心軸と直角を成す面と平行でない領域を有した面形状を持つ容器である。
【発明の効果】
【００２１】
容器を縦置きに陳列する際に容器の標記をランダムな方向に向けて容器を置いても、標記を所定の方向に向けて陳列することが可能な容器陳列システム等を提供することが可能となる。
【発明を実施するための最良の形態】
【００２２】
以下、添付図面を参照して、本発明を実施するための最良の形態について詳細に説明する。
図１は、本発明の実施形態に係る陳列装置の概略構成を示した図である。
同図（Ａ）に示すように本実施形態における陳列装置３０は、図柄が印刷されたフィルムＦが外周面に装着され且つ飲料が内部に充填された容器２０が載せられる載置部３１と、容器２０の移動経路を形成するとともに容器２０の移動を案内するガイド３２とを備えている。また、載置部３１の一側辺に沿って配置され、容器２０の移動を停止させる、好ましくは透明に形成される規制板３４を備えている。また、陳列装置３０は、容器２０を回転させ容器２０に付された識別標記（後述）を前方に向ける回転機構５０を備えている。
【００２３】
陳列装置３０は、同図（Ｂ）に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。
ここで陳列装置３０は、陳列ケース１０に設けられた棚（不図示）の上に載せられる。この際、陳列装置３０は、規制板３４が設けられた側がドア１０Ｂ側に位置するように設置される。また陳列装置３０の載置部３１は、規制板３４が設けられた側が、規制板３４が設けられた側とは反対側よりも下方に位置するように配置される。即ち、陳列装置３０の載置部３１は、陳列ケース１０の後方側から容器２０が取り出される前方側（取り出し部側）に向かって下り傾斜した状態で配置される。
【００２４】
ここで本実施形態における陳列ケース１０は、後方側にもドアが設けられ（不図示）、後方側も開放可能となっている。そしてこの後方側より陳列装置３０に容器２０が投入される。即ち、陳列ケース１０の後方側および陳列装置３０の後方側に容器２０の投入部が設けられた構成となっている。そして、投入された容器２０は移動手段として機能する載置部３１上をドア１０Ｂ側に向かって移動する。即ち、容器２０を購入する購入者側に向かって移動する。なお、本明細書では、ドア１０Ｂ側を前方側（前方）と称しドア１０Ｂとは反対側を後方側（後方）と称する場合がある。また、陳列ケース１０の幅方向（容器２０が移動する方向に直交する方向）を横方向、幅方向と称する場合がある。
【００２５】
次いで容器２０について説明する。
図２−１は、陳列装置３０に陳列される容器２０を説明するための図である。なお、同図（Ａ）は正面図を示し、同図（Ｂ）は同図（Ａ）のＡ−Ａ線における断面を示している。
【００２６】
本実施形態における容器２０は、ＰＥＴ（ポリエチレンテレフタレート）などの樹脂材料により形成された容器を例示している。例えば、樹脂材料を用いた射出成形（ブロー成形）法、樹脂材料を用いてプリフォームを成形後、これをブロー成形する方法により製造することができる。
同図（Ａ）に示すように本実施形態における容器２０は、上部に開口（飲み口）を有し且つ筒状に形成され内部に飲料が充填された容器本体２１と、容器本体２１の開口を塞ぐキャップ２２とを備えている。また容器本体２１の外周面には、上記のとおりフィルムＦが装着されている。
【００２７】
ここでキャップ２２は、その外周面に、キャップ２２の高さ方向に沿って形成された凸部、同じく高さ方向に沿って形成された凹部を有している。この凸部および凹部は複数設けられるとともに、キャップ２２の周方向において交互に配置されている。
またフィルムＦには、同図（Ａ）、（Ｂ）に示すように、商品名、商標名など他の商品と識別するための第１識別標記２３ａ、第２識別標記２３ｂが印刷されている（なお本明細書においては、以下単に「識別標記２３」と称する場合がある。）。ここで、第１識別標記２３ａおよび第２識別標記２３ｂは、同一の形態でもいいし異なる形態とすることもできる。なお第１識別標記２３ａおよび第２識別標記２３ｂは、容器２０の周方向において、位相が１８０°ずれた状態で配置されている。
【００２８】
また容器２０は、容器本体２１の上部に（キャップ２２の下部に）、容器本体２１の外周面から容器本体２１の径方向に突出した突出部２４を備えている。
ここで突出部２４は、容器本体２１と一体に形成されている。また、突出部２４は、同図（Ｂ）に示すように、直径Ｄ２を有した円の一部が切り欠かれた形状となっている。付言すれば、突出部２４は、直径Ｄ２を有した円の一部に面削ぎ状の部位が設けられた状態となっている。更に説明すれば、突出部２４は、直径Ｄ２を有した円の一部に、第１平坦部２４１が設けられ、他の一部に、第２平坦部２４２が設けられた状態となっている。
【００２９】
ここで、第１平坦部２４１および第２平坦部２４２は、互いに平行となる関係で配置されている。また、第１平坦部２４１と第２平坦部２４２とは、上記直径Ｄ２の大きさよりも小さい距離Ｄ１をおいて配置されている。さらに、識別標記２３との関係を説明すると、第１平坦部２４１および第２平坦部２４２は、第１識別標記２３ａおよび第２識別標記２３ｂに対し、位相が９０°ずれた状態で配置されている。
【００３０】
さらに説明すると、第１識別標記２３ａ又は第２識別標記２３ｂが陳列装置３０（図１（Ａ）参照）の前方を向いた際における突出部２４の幅はＤ１となる。また、第１識別標記２３ａ又は第２識別標記２３ｂが陳列装置３０の幅方向を向いた際における突出部２４の幅はＤ２となる。さらに説明すると、第１識別標記２３ａ又は第２識別標記２３ｂが向いている方向における突出部２４の幅はＤ２となり、第１識別標記２３ａ又は第２識別標記２３ｂが向いている方向と直交する方向における突出部２４の幅はＤ２よりも小さいＤ１となる。さらに説明すると、第１識別標記２３ａ又は第２識別標記２３ｂが付された側から容器２０を眺めた場合に、突出部２４は、奥行き方向の寸法がＤ２となり、幅方向の寸法がこのＤ２よりも小さいＤ１となる。
【００３１】
上記は、１８０度の位置関係に識別標記２３が２つ付された場合であるが、図２−２（Ｃ）、（Ｄ）のように、１箇所のみ識別標記２３ａが付されている場合は、突出部２４の回転方向とは反対方向に識別標記２３ａと直角となる位置に切り欠き２４１が付けられている。更に図２−３（Ｅ）、（Ｆ）のように識別標記２３が直角方向に２箇所付されている場合は、各々回転方向と反対の各々の標記部と直角となる位置に２箇所の切り欠き２４１、２４２が付されている。
【００３２】
次に陳列装置３０についてより詳細に説明する。
図３−１は、陳列装置３０の上面図および底面図を示している。詳細には、同図（Ａ）は上面図を示し、同図（Ｂ）は底面図を示している。また、図３−２は、陳列装置３０の正面図および背面図を示している。詳細には、同図（Ａ）は正面図を示し、同図（Ｂ）は背面図を示している。また、図３−３は、陳列装置３０の左側面図である。さらに、図３−４は、陳列装置３０の右側面図である。また図４は、回転機構５０を説明するための図である。
本実施形態における陳列装置３０では、図３−１（Ａ）に示すように、載置部３１に、複数のロール状部材３１１が設けられている。詳細に説明すると、複数のロール状部材３１１が前後方向に沿って並べられた第１ローラ列３１２と、同じく複数のロール状部材３１１が前後方向に沿って並べられた第２ローラ列３１３とが、載置部３１に設けられている。各々のロール状部材３１１は、容器２０の移動経路に沿った回転が可能なように設けられており、容器２０を前方へ円滑に移動させる。
【００３３】
また、陳列装置３０には、上記のとおり、容器２０を回転させ容器２０に付された識別標記２３を前方に向ける回転機構５０を備えている。
ここで回転機構５０は、陳列装置３０の前後方向に沿って設けられ回転力付与手段として機能する第１ガイド５１と、傾斜付与手段として機能する第２ガイド５２とを有している。なお、この第１ガイド５１は、図中左方側のガイド３２（以下、「左方側ガイド３２」と称する場合がある）に接続された支持部材５３により支持されている。また、第２ガイド５２は、図中右方側のガイド３２（以下、「右方側ガイド３２」と称する場合がある）に接続された支持部材５４により支持されている。
【００３４】
第１ガイド５１は、板状の部材により構成され、載置部３１の上方に設けられている。また、第１ガイド５１は、前方側に第１傾斜部５１１を有し、後方側に第２傾斜部５１２を有している。
ここで第１傾斜部５１１は、図３−２（Ａ）に示すように、図中左上側の一端部の方が図中右下側の他端部よりも上方に位置するように、且つ、この一端部の方が他端部よりも左側に位置するように傾斜して配置されている。付言すれば、第１傾斜部５１１は、陳列装置３０の載置部３１から離れるに従い左方側ガイド３２側に接近するように傾斜して配置されている。また第１傾斜部５１１は、キャップ２２の外周面（容器２０の側部）が接触する（詳細は後述）接触面５１１ａに、複数の凸部および凹部を有している。
なお接触面５１１ａは、図３−２（Ａ）に示すように、陳列装置３０の載置部３１から離れるに従い容器２０の移動経路の側方（図３−２（Ａ）中左方向）に接近するように傾斜した状態となっている。付言すれば、接触面５１１ａは、容器２０の移動経路の側方に向かうに従い載置部３１から離れるように傾斜した状態となっている。更に付言すれば、接触面５１１ａは、左方側ガイド３２側に傾斜して配置され、斜め上方を向くように配置されている。
【００３５】
図３−１（Ａ）を再度参照し説明を続ける。接触面５１１ａに形成された凸部および凹部は、陳列装置３０の前後方向と直交する方向に沿って形成されるとともに、陳列装置３０の前後方向において、交互に配置されている。そして本実施形態では、キャップ２２の外周面が接触面５１１ａに接触した状態にあると、キャップ２２の外周面に形成された凹凸と、接触面５１１ａに形成された凹凸とが噛み合うようになる。この結果、容器２０における左方側の移動が抑制され、容器２０は周方向の回転を行う（詳細は後述）。
【００３６】
第２傾斜部５１２は、陳列装置３０の後方側に向かうに従い、左方側ガイド３２に接近するように配置されている。付言すれば第２ガイド５２との間に形成される間隙が拡がるように配置されている。なお、第２傾斜部５１２には、上記凹凸が設けられていないが、この第２傾斜部５１２にも凹凸を付与することができる。この第２傾斜部５１２は、陳列装置３０に投入された容器２０を第２ガイド５２側に誘導する。
【００３７】
一方、第２ガイド５２は、円柱状の部材により構成され、載置部３１の上方に設けられている。また、第２ガイド５２は、第１ガイド５１との間に間隙を有し且つ第１ガイド５１に対向配置されている。この第２ガイド５２は、その前方に直線状に形成されたストレート部５２１を有し、その後方に傾斜部５２２を有している。
【００３８】
傾斜部５２２は、陳列装置３０の後方側に向かうに従い右方側ガイド３２に接近するように配置されている。また、傾斜部５２２は、陳列装置３０の後方側に向かうに従い載置部３１に接近するように配置されている。付言すれば、陳列装置３０の前方に向かうに従い載置部３１から離れるように配置されている。また傾斜部５２２は、その端部（図中上端部）が、投入された容器２０の突出部２４（図２−１（Ａ）参照）よりも下方に位置するように配置されている。この傾斜部５２２は、投入された容器２０を第１ガイド５１側に誘導する。また、傾斜部５２２およびストレート部５２１は、後述するように容器２０に傾斜を付与する。
【００３９】
ここで図４を参照して回転機構５０について更に詳細に説明する。なお、同図（Ａ）は図３−１（Ａ）のＡ−Ａ線における断面図であり、同図（Ｂ）は図３−１（Ａ）のＢ−Ｂ線における断面図であり、同図（Ｃ）は図３−１（Ａ）のＣ−Ｃ線における断面図である。
【００４０】
上記のとおり第２ガイド５２には、傾斜部５２２が設けられ、そしてこの傾斜部５２２は、陳列装置３０の後方側に向かうに従い載置部３１に接近するように配置されている。即ち、陳列装置３０の前方に向かうに従い載置部３１から離れるように配置されている。付言すれば、傾斜部５２２と載置部３１との離間距離が陳列装置３０の前方に向かうに従い大きくなるように、傾斜部５２２は配置されている。例えば図４（Ａ）にて載置部３１と傾斜部５２２との離間距離がＨ１であった場合に、図４（Ｂ）では離間距離がＨ２（＞Ｈ１）となり、図４（Ｃ）では離間距離がＨ３（＞Ｈ２＞Ｈ１）となる。また、第１ガイド５１と第２ガイド５２との水平方向の距離Ｗ１，Ｗ２，Ｗ３は、Ｗ１＞Ｗ２＞Ｗ３の関係になっている。
【００４１】
本実施形態では、識別標記２３が移動経路の側方を向いた状態（前方以外の方向を向いた状態）で容器２０が陳列装置３０に投入されると、容器２０の右方側が傾斜部５２２により持ち上げられ、容器２０は左方側に傾くようになる。そしてこの傾きによって、容器２０のキャップ２２が第１ガイド５１に接触し、容器２０が回転するようになる。そして識別標記２３が前方を向くと、キャップ２２が第１ガイド５１から離間し、容器２０は識別標記２３が前方を向いた状態で前方に移動していく。
【００４２】
図５、図６（容器２０の動作を説明するための図）を用いて容器２０の動作について詳細に説明する。なお、図５（Ａ）は、図４（Ａ）で示した回転機構５０と容器２０とを示した図であり、図５（Ｂ）は、図４（Ｂ）で示した回転機構５０と容器２０とを示した図であり、また、図５（Ｃ）は、図４（Ｃ）で示した回転機構５０と容器２０とを示した図である。
【００４３】
図５（Ａ）に示すように、識別標記２３が移動経路の側方を向いた状態で投入された容器２０が、第１ガイド５１の第２傾斜部５１２と第２ガイド５２の傾斜部５２２との間に達すると、容器２０の突出部２４の下部に傾斜部５２２が位置する状態となる。そして本実施形態では、傾斜部５２２（離間部の一例）が、上記のとおり載置部３１から離れるように傾斜した状態で配置されているために、容器２０に傾斜が付与される。
【００４４】
詳細には、容器２０の前方への移動に伴い突出部２４の下部に傾斜部５２２が接触する。そして、容器２０がさらに前方へ移動するのに伴い、突出部２４が傾斜部５２２に持ち上げられるようになる（同図（Ｂ）参照）。これにより容器２０は、第２傾斜部５１２（第１ガイド５１）側に傾くようになる。そして、容器２０は、突出部２４が傾斜部５２２により更に持ち上げられることで更に傾くようになり、同図（Ｃ）に示すように、キャップ２２の外周面であってキャップ２２の上部側が第１傾斜部５１１（第１ガイド５１）の接触面５１１ａに接触する。これによりキャップ２２の外周面における凹凸と、第１傾斜部５１１の接触面５１１ａにおける凹凸との間で噛み合いが生じる。
【００４５】
その後、容器２０は、図６（Ａ）の矢印６Ｄに示すように周方向の回転を開始し更に前方へ移動していく。そして同図（Ｂ）に示すように識別標記２３（第２識別標記２３ｂ）が前方を向く状態となると、ストレート部５２１（第２ガイド５２）による突出部２４の支持が解除される。付言すれば、識別標記２３が前方を向く状態となると、突出部２４の第１平坦部２４１あるいは第２平坦部２４２（図２（Ｂ）参照）が、ストレート部５２１と対峙するようになり、第２ガイド５２による突出部２４の支持が解除される。
【００４６】
この結果、図６（Ｂ）、（Ｃ）に示すように、容器２０の上部側（キャップ２２側）がストレート部５２１（第２ガイド５２）側に移動するようになり、キャップ２２と第１傾斜部５１１（第１ガイド５１）とが離間するようになる。これにより、容器２０への回転力の付与も解除される。そして、容器２０は同図（Ｃ）に示す姿勢を維持した状態で前方へスライドしていく。即ち、容器２０は、識別標記２３が前方を向いた状態を維持したまま陳列装置３０の前方まで移動していく。なお、第２ガイド５２（ストレート部５２１）には、フッ素樹脂など摺動抵抗を減じる素材を貼付等しておくことがより好ましい。識別標記２３が前方を向いた容器２０の第２ガイド５２による再回転をより抑制可能となるからである。
【００４７】
本実施形態では、図５（Ａ）に示したように、例えば第２識別標記２３ｂが側方を向いた状態で容器２０が載置部３１に置かれたとしても、前方に達する段階において、第２識別標記２３ｂが前方に向くようになる。このため、第２識別標記２３ｂが前方に向いていない状態で容器２０の載置（投入）を行ったとしても、陳列ケース１０（図１（Ｂ）参照）の前方側に容器２０が達した際に第２識別標記２３ｂを前方に向いた状態となる。即ち本実施形態では、容器２０を陳列装置３０に投入する投入者が特別な操作をしないでも、識別標記２３が前方を向くこととなる。
【００４８】
なお、識別標記２３が前方を向いた状態で容器２０が投入された場合には、第２ガイド５２の傾斜部５２２による突出部２４の持ち上げが行われない。このため、キャップ２２と第１ガイド５１との接触も行われず、容器２０は投入されたときの姿勢を維持したまま（識別標記２３が前方を向いた状態を維持したまま）陳列装置３０の前方へ移動していく。
【００４９】
上記例は、１８０度の位置関係に２箇所の識別標記２３が付された場合の容器２０について述べたが、図２−２の（Ｃ）、（Ｄ）の場合も同様の機構にて説明される。
【００５０】
なお、ペットボトルなどの樹脂製の容器２０は、設計の自由度が高いため、円筒状のもの限られず図７−１に示すような形状とすることもできる。
図７−１は、容器２０の変形例を示した図である。なお同図（Ａ）は容器２０の正面図であり、同図（Ｂ）は同図（Ａ）のＡ−Ａ線における断面図である。また、同図（Ｃ）は同図（Ａ）のＢ−Ｂ線における断面図である。
同図に示す容器２０は、基本形状が角柱（四角柱）状に形成されている。そして、４つある側面のうち、互いに対向する関係の第１側面２１１および第２側面２１２に識別標記２３が付されている。
【００５１】
ここで基本形状が角柱状である場合、容器２０の回転が困難となることが想定される。このため本変形例における容器２０では、載置部３１と接触する箇所（容器２０の底部側）を円筒状としている。付言すれば、容器２０の底部側における断面の外形形状を円としている。このような形態とすることにより、容器２０を円滑に回転させ識別標記２３を前方に向けることが可能となる。
【００５２】
また、図７−２（Ｄ）に示すように、容器２０の底部に外周が円形の装着部材７０を取り付けることにより、容器２０の底部形状が円以外のものでも同様の効果を挙げることが出来る。同図（Ｅ）は、容器２０の底部形状が三角形、同図（Ｆ）は、容器２０の底部形状が四角形、同図（Ｇ）は、容器２０の底部形状が六角形、同図（Ｈ）は、容器２０の底部形状が楕円形の容器２０に対応する。
【００５３】
なお、上記実施形態では、回転機構５０を陳列装置３０の後方側に設けたが、陳列装置３０の前方側（容器２０の取り出し部側）に設けてもよい。回転機構５０により識別標記２３が前方を向いた容器２０は、ガイド３２に接触することにより再度回転するおそれがある。この場合、識別標記２３が前方以外の方向を向いてしまう。回転機構５０を前方側に配置することで容器２０とガイド３２とが接触する機会が減少し、識別標記２３が前方以外の方向を向くことをより抑制できる。
【００５４】
また、上記実施形態では樹脂製の容器２０を例示したが、いわゆる金属ボトル缶に対しても上記と同様の機能を付与することができる。但し、上記突出部２４に相当する箇所は、別部材を取り付けることにより形成することが好ましい。
また、上記実施形態では、載置部３１に複数のロール状部材３１１を設けたが、ロール状部材３１１を省略し載置部３１を平滑にしてもよい。
また上記実施形態では、第１ガイド５１の接触面５１１ａに凹凸を付与したが、接触面５１１ａに対してＥＰＤＭ（エチレン−プロピレンゴム）などのゴム部材を貼付してもよい。
【００５５】
また、第１ガイド５１および第２ガイド５２は、次のような形態とすることもできる。
図８および図９は、第１ガイド５１および第２ガイド５２の変形例を示した図である。
図３−１では、第１ガイド５１が板状の部材により構成されていたが、図８（Ａ）に示すように、第１ガイド５１は、円柱状の部材により構成することができる。なおこの場合も、凹凸が第１ガイド５１の表面に形成されている。
また、図８（Ｂ）に示すように、第２ガイド５２の表面に、回転可能に設けられた球状のコロ５２３を設けることもできる。なお、このようにコロ５２３を設ける場合、第２ガイド５２は、円柱状ではなく、上面が形成されるように断面を矩形とすることが好ましい。
【００５６】
さらに、第２ガイド５２は、図９に示すような形態とすることもできる。ここで、図９（Ａ）は陳列装置３０の上面図である。図９（Ｂ）は図９（Ａ）のＡ−Ａ線における断面図を示している。
図９（Ｂ）に示すように、第２ガイド５２は、円柱状ではなく、断面が半円状となるように形成することもできる。なお、この場合、円弧を有する部分が上部側に位置する。また、第２ガイド５２は、図９（Ｃ）に示すように、側方からではなく下方から支持することもできる。即ち、第２ガイド５２の下部に対して支持部材５４を接続することもできる。
【００５７】
図１０から図１３は、上記実施例と同様の構造の陳列装置３０の変形例である。
【００５８】
上記実施例では、第1ガイド５１を第２ガイド５２と同等の高さ位置に設け、キャップ２２により回転を付与したが、容器本体２１位置に第１ガイド５１を置いて容器本体側部により容器２０を回転させても同様の効果が得られる。図１４は、容器本体２１の側面高さに第１ガイド５１を設置した場合、図１５は、容器本体２１の底面付近に、図１６は容器本体２１の肩部付近に第１ガイド５１を設置した例である。
【００５９】
いままでは、容器２０が一列に移動する場合を想定していたが、容器２０を隣合うように数列並べる場合も同様に、本発明を適用できる。図１７−１〜図１７−３は、２列に設置した場合である。このような陳列装置３０の載置部３１は、ローラー方式が好適であり、例えば図１８のように隣り合う載置部３１同志を繋ぎ合わせ、上部に本発明装置を設置することで容易に複数の列の陳列装置３０が出来る。図１９−１〜図１９−３は、隣の列が高さの違うものを置く場合の例で、上部の第１ガイド５１、第２ガイド５２の構造を変えるだけで対応することができる。
【００６０】
次に他の実施例として、容器のキャップの下に付した突起部を利用して容器を回転させる例を示す。図２０（ｄ）は、本発明の容器の平面図である。容器のキャップ２２の下に円形の突起部２４が付けられている。同図（ｅ）に示すように、突起部２４の断面は、識別標記（第１識別標記）２３ａに対応する方向が薄く、識別標記（第２識別標記）２３ｂに対応する方向が厚く、同図（ｆ）に示すように、その中間位置では同じ中間の厚さとなるように、突出部下面が容器中心軸と直角を成す面と平行でない領域で構成されている。
【００６１】
同図（ａ）に示すように第１ガイド５１は、同高さ位置に相対するように２つ設置され、その下に第２ガイド５２が第１ガイド５１より低い位置に同高さに相対するように２つ設置されている。第１ガイド５１、第２ガイド５２の下方は、ローラー等による傾斜された載置部が置かれ、容器が取り出し部方向へ移動してくる。その途中に上記第１ガイド５１、第２ガイド５２を設けると、容器２０の識別標記２３ａまたは２３ｂが移動方向と直角方向を向いている場合は、同図（ａ）、（ｃ）のように第２ガイド５２により突起部２４が下から支持された結果、突起部２４の下面が水平と成り、容器２０がいずれかのガイド側に傾く。第１ガイド５１はその位置でキャップ２２と接触するように設定されている。この結果、第１ガイド５１とキャップ２２との抵抗により容器２０が回転しながら移動する。同図（ｂ）のように識別標記２３ａまたは２３ｂが進行方向を向くと第２ガイド５２と接触する突起部２４の厚さが進行方向に対し左右同等となるので容器２１は傾いた姿勢を正し、この結果キャップ２２と第１ガイド５１との接触が無くなり回転は停止する。従って、この位置、すなわち識別標記２３ａまたは２３ｂが進行方向を向いた状態で容器２０は移動する。
【００６２】
なお、上記機構において第１ガイド５１の設定位置を容器２１のキャップ２２と接触する位置としたが、円形の容器では容器側面高さ、例えば容器肩部位置に設定しても同様の効果が発揮される。
【図面の簡単な説明】
【００６３】
【図１】本発明の実施形態に係る陳列装置の概略構成を示した図である。
【図２−１】陳列装置に陳列される容器を説明するための図である。
【図２−２】容器の他の形態を示した図である。
【図２−３】容器の他の形態を示した図である。
【図３−１】陳列装置の上面図および底面図である。
【図３−２】陳列装置の正面図および背面図である。
【図３−３】陳列装置の左側面図である。
【図３−４】陳列装置の右側面図である。
【図４】回転機構を説明するための図である。
【図５】容器の動作を説明するための図である。
【図６】容器の動作を説明するための図である。
【図７−１】容器の変形例を示した図である。
【図７−２】装着部材を示した図である。
【図８】第１ガイドおよび第２ガイドの変形例を示した図である。
【図９】第１ガイドおよび第２ガイドの変形例を示した図である。
【図１０】陳列装置の他の実施例を示した図である。
【図１１】陳列装置の他の実施例を示した図である。
【図１２】陳列装置の他の実施例を示した図である。
【図１３】陳列装置の他の実施例を示した図である。
【図１４】陳列装置の他の実施例を示した図である。
【図１５】陳列装置の他の実施例を示した図である。
【図１６】陳列装置の他の実施例を示した図である。
【図１７−１】陳列装置の他の実施例を示した図である。
【図１７−２】陳列装置の他の実施例を示した図である。
【図１７−３】陳列装置の他の実施例を示した図である。
【図１８】陳列装置の載置部の接続を説明した図である。
【図１９−１】陳列装置の他の実施例を示した図である。
【図１９−２】陳列装置の他の実施例を示した図である。
【図１９−３】陳列装置の他の実施例を示した図である。
【図２０】陳列装置の他の実施例を説明するための図である。
【符号の説明】
【００６４】
２０…容器、２１…容器本体、２２…キャップ、２３ａ…第１識別標記、２３ｂ…第２識別標記、２４…突出部、３０…陳列装置、３１…載置部、５１…第１ガイド、５２…第２ガイド、５１１ａ…接触面、５２２…傾斜部
【図１】
2010167265.tif 000003
【図２−１】
2010167265.tif 000004
【図２−２】
2010167265.tif 000005
【図２−３】
2010167265.tif 000006
【図３−１】
2010167265.tif 000007
【図３−２】
2010167265.tif 000008
【図３−３】
2010167265.tif 000009
【図３−４】
2010167265.tif 000010
【図４】
2010167265.tif 000011
【図５】
2010167265.tif 000012
【図６】
2010167265.tif 000013
【図７−１】
2010167265.tif 000014
【図７−２】
2010167265.tif 000015
【図８】
2010167265.tif 000016
【図９】
2010167265.tif 000017
【図１０】
2010167265.tif 000018
【図１１】
2010167265.tif 000019
【図１２】
2010167265.tif 000020
【図１３】
2010167265.tif 000021
【図１４】
2010167265.tif 000022
【図１５】
2010167265.tif 000023
【図１６】
2010167265.tif 000024
【図１７−１】
2010167265.tif 000025
【図１７−２】
2010167265.tif 000026
【図１７−３】
2010167265.tif 000027
【図１８】
2010167265.tif 000028
【図１９−１】
2010167265.tif 000029
【図１９−２】
2010167265.tif 000030
【図１９−３】
2010167265.tif 000031
【図２０】
2010167265.tif 000032